(57)【要約】【課題】組織採取片に採取された組織標本を迅速に病理診断に供することができる内視鏡用生検鉗子を提供すること。【解決手段】一対の組織採取片１０の間には、その開閉状態にかかわらず側方に貫通する組織採取空間２０が形成されると共に、可撓性シース１の先端近傍の側壁には、その内側に閉じ状態で引き込まれた一対の組織採取片１０の間に形成されている組織採取空間２０に面するように透明窓４が設けられて、組織採取空間２０内に採取されて可撓性シース１の先端内に引き込まれた組織標本１００を透明窓４の外側から観察することができるようにした。【選択図】      図１
2011024789.tif 000002
【特許請求の範囲】
【請求項１】
閉じ方向に突出する先端爪を備えた一対の組織採取片が前方に向かって開閉自在に可撓性シースの先端に配置されて、上記一対の組織採取片が上記可撓性シースの先端から前方に突出して開いた状態と上記可撓性シース内で窄まった状態とを、上記可撓性シースの基端側からの操作で制御することができるように構成された内視鏡用生検鉗子において、
上記一対の組織採取片の間には、その開閉状態にかかわらず側方に貫通する組織採取空間が形成されると共に、
上記可撓性シースの先端近傍の側壁には、その内側に閉じ状態で引き込まれた上記一対の組織採取片の間に形成されている組織採取空間に面するように透明窓が設けられて、上記組織採取空間内に採取されて上記可撓性シースの先端内に引き込まれた組織標本を上記透明窓の外側から観察することができるようにしたことを特徴とする内視鏡用生検鉗子。
【請求項２】
上記透明窓が貫通孔である請求項１記載の内視鏡用生検鉗子。
【請求項３】
上記透明窓が透明壁で形成されている請求項１記載の内視鏡用生検鉗子。
【請求項４】
上記可撓性シース内において上記組織採取空間が上記透明窓に面する向きになるように上記一対の組織採取片を案内する組織採取片案内手段が設けられている請求項１ないし３のいずれかの項に記載の内視鏡用生検鉗子。
【請求項５】
上記組織採取片案内手段が、上記可撓性シースの内周面に形成された案内溝である請求項４記載の内視鏡用生検鉗子。
【発明の詳細な説明】
【技術分野】
【０００１】
この発明は、内視鏡用生検鉗子に関する。
【背景技術】
【０００２】
内視鏡用生検鉗子は、内視鏡の処置具挿通チャンネルに挿脱されて手元側から開閉操作され、前方に向かって開閉する一対の組織採取片内に生体組織の標本を採取するものである（例えば、特許文献１）。
【先行技術文献】
【特許文献】
【０００３】
【特許文献１】特開２００９−１２５４１８
【発明の概要】
【発明が解決しようとする課題】
【０００４】
内視鏡用生検鉗子で採取された組織標本は、その切断面を顕微鏡で観察して病変の有無その他の病理診断が行われる。ただし、組織標本の採取から顕微鏡観察までの間に、採取された組織標本を組織採取片から取り出して固定、染色、観察用標本の作成をする等の手間がかかる処理が必要とされ、診断までに長時間を要してしまう。
【０００５】
本発明は、組織採取片に採取された組織標本を迅速に病理診断に供することができる内視鏡用生検鉗子を提供することを目的とする。
【課題を解決するための手段】
【０００６】
上記の目的を達成するため、本発明の内視鏡用生検鉗子は、閉じ方向に突出する先端爪を備えた一対の組織採取片が前方に向かって開閉自在に可撓性シースの先端に配置されて、一対の組織採取片が可撓性シースの先端から前方に突出して開いた状態と可撓性シース内で窄まった状態とを、可撓性シースの基端側からの操作で制御することができるように構成された内視鏡用生検鉗子において、一対の組織採取片の間には、その開閉状態にかかわらず側方に貫通する組織採取空間が形成されると共に、可撓性シースの先端近傍の側壁には、その内側に閉じ状態で引き込まれた一対の組織採取片の間に形成されている組織採取空間に面するように透明窓が設けられて、組織採取空間内に採取されて可撓性シースの先端内に引き込まれた組織標本を透明窓の外側から観察することができるようにしたものである。
【０００７】
なお、透明窓が貫通孔であってもよく、或いは透明窓が透明壁で形成されていてもよい。
また、可撓性シース内において組織採取空間が透明窓に面する向きになるように一対の組織採取片を案内する組織採取片案内手段が設けられていてもよく、その組織採取片案内手段が、可撓性シースの内周面に形成された案内溝であってもよい。
【発明の効果】
【０００８】
本発明によれば、一対の組織採取片による組織採取空間内に採取されて可撓性シースの先端内に引き込まれた組織標本を、可撓性シースに形成された透明窓の外側から観察することができるので、組織採取片内に採取された組織標本を、組織採取片を開くことなく（必要に応じ染色して）病理診断まで迅速に行うことが可能となる。
【図面の簡単な説明】
【０００９】
【図１】本発明の第１の実施例に係る内視鏡用生検鉗子の一対の組織採取片が閉じた状態の側面断面図である。
【図２】本発明の第１の実施例に係る内視鏡用生検鉗子の一対の組織採取片が開いた状態の側面断面図である。
【図３】本発明の第１の実施例に係る内視鏡用生検鉗子の一対の組織採取片が開いた状態の斜視図である。
【図４】本発明の第１の実施例に係る内視鏡用生検鉗子で組織を採取する状態の側面断面図である。
【図５】本発明の第１の実施例に係る内視鏡用生検鉗子で組織が採取された状態の側面断面図である。
【図６】本発明の第１の実施例に係る内視鏡用生検鉗子で組織が採取された状態の斜視図である。
【図７】本発明の第２の実施例に係る内視鏡用生検鉗子で組織が採取された状態の斜視図である。
【発明を実施するための形態】
【００１０】
以下、図面を参照して本発明の第１の実施例を説明する。
図２と図３は、内視鏡用生検鉗子の先端部分の側面断面図と斜視図である。
１は、図示されていない内視鏡の処置具挿通チャンネルに挿脱される可撓性シースである。可撓性シース１は、例えば外径が２ｍｍ程度で長さが１〜２ｍ程度の四フッ化エチレン樹脂チューブ等のような可撓性チューブで形成されている。ただし、密着巻きコイルパイプ等で形成してもよい。
【００１１】
可撓性シース１の先端には、一対の組織採取片１０が可撓性シース１の先端に嘴状に前方に向かって開閉自在に配置されている。可撓性シース１内には、可撓性の操作ワイヤ２が軸線方向に進退自在に挿通配置されていて、可撓性シース１の基端に連結された操作部（図示せず）において進退操作される。
【００１２】
操作ワイヤ２の先端は、連結管３を介して一対の組織採取片１０の基端と連結されている。その結果、操作ワイヤ２が軸線方向に進退すると、組織採取片１０が可撓性シース１の先端から前方に突没する。
【００１３】
一対の組織採取片１０の各々の最先端部には、先端爪１１が閉じ方向に向かって突出形成されている。各先端爪１１の先端は、生体組織によく食いついて粘膜を切り裂くことができるように鋭い刃状に形成されている。
【００１４】
一対の組織採取片１０は例えばばね性のあるステンレス鋼等で形成されていて、外力が作用していない状態では、図２及び図３に示されるように、開いた状態になるように基端が連結管３に連結固定されている。
【００１５】
各組織採取片１０の後半部分は、組織採取片１０が開閉動作をする際に弾性変形する弾性変形部１２になっていて、この実施例の弾性変形部１２は、開き方向に対し逆方向に凸の円弧状に形成されている。
【００１６】
その結果、操作ワイヤ２が基端側から牽引操作されると、図１に示されるように、組織採取片１０が可撓性シース１の先端内に引き込まれ、弾性変形部１２が弾性変形して組織採取片１０が窄まって閉じた状態になる。そして、可撓性シース１が基端側から押し込み操作されると、図２及び図３に示されるように、組織採取片１０が自己の弾性によって開いた状態に戻る。
【００１７】
このようにして、一対の組織採取片１０が可撓性シース１の先端から前方に突出して開いた状態と可撓性シース１内で窄まった状態とを、可撓性シース１の基端側からの操作で制御することができる。
【００１８】
一対の組織採取片１０の間（正確には、組織採取片１０の先側半部どうしの間）には、組織採取空間２０が形成されている。各組織採取片１０がカップ状ではなくアーム状に形成されているので、組織採取空間２０は、組織採取片１０の開閉状態にかかわらず、側面が塞がった状態にはならず、側方向に貫通した状態になっている。
【００１９】
一方、可撓性シース１の先端近傍の側壁には、図１に示されるように、その内側に閉じ状態で引き込まれた一対の組織採取片１０の間に形成されている組織採取空間２０に面する位置に、透明窓４が設けられている。
【００２０】
この実施例の透明窓４は、単純な貫通孔で形成されており、組織採取空間２０内に採取された組織標本を透明窓４の外側から観察することができると共に、組織採取空間２０内の組織標本を透明窓４を通して染色することもできる。
【００２１】
このように構成された内視鏡用生検鉗子は、内視鏡の処置具挿通チャンネルに挿通されて体内に誘導される。そして、図４に示されるように、開いた一対の組織採取片１０の先端爪１１を生体組織に食いつかせてから、操作ワイヤ２を基端側から牽引操作する（可撓性シース１も適宜押し込み操作する）。
【００２２】
それによって、図５に示されるように、組織採取片１０の間の組織採取空間２０に組織標本１００が採取されたら、内視鏡用生検鉗子を内視鏡の処置具挿通チャンネルから引き抜いて体外に取り出す。
【００２３】
すると、図６に示されるように、可撓性シース１の先端近傍の側壁に形成されている透明窓４内に組織標本１００が位置している。そこで、組織採取片１０を可撓性シース１の先端から押し出すことなく、染色液を透明窓４からその内部に注入して、組織採取空間２０に保持されている組織標本１００を染色し、そのままの状態で透明窓４を通して組織標本１００を観察することができる。
【００２４】
そのようにして、内視鏡検査室内に居ながらにして組織標本１００を組織採取片１０から取り外すことなく組織標本１００の病理検査を行うことができる。また、共焦点内視鏡等のような顕微鏡的超拡大観察を行うことができる内視鏡を用いれば、体内において病理検査まで行うことができる可能性も生じる。
【００２５】
図７は、本発明の第２の実施例に係る内視鏡用生検鉗子で組織が採取された状態を示している。ここでは、組織採取片１０の組織採取空間２０が可撓性シース１内において透明窓４に面する向きになるように、組織採取片１０を案内する案内溝１４（組織採取片案内手段）が可撓性シース１の内周面に形成されている。その他の構成は第１の実施例と同様である。
【００２６】
このように構成することにより、組織標本１００が確実に透明窓４に面する位置に来るので、染色処理や病理診断をスムーズに行うことができる。ただし、案内溝１４に代えてその他の組織採取片案内手段を設けてもよく、組織採取片１０が可撓性シース１の先端から前方に突出している段階から組織採取片１０の向きが規制されるようにしてもよい。
【００２７】
なお、本発明は上記実施例に限定されるものではなく、例えば、透明窓４が貫通孔ではなく透明壁で形成されていてもよい。ただし、その場合には、組織標本１００の染色作業を良好に行えるようにできるかが課題になる。
【００２８】
また、一対の組織採取片１０の開閉が、組織採取片１０の弾性変形を利用するのではなく、リンク機構等で行われる構成にしてもよい。
【符号の説明】
【００２９】
１  可撓性シース
２  操作ワイヤ
４  透明窓
１０  組織採取片
１１  先端爪
１２  弾性変形部
１４  案内溝（組織採取片案内手段）
２０  組織採取空間
１００  組織標本
【図１】
2011024789.tif 000003
【図２】
2011024789.tif 000004
【図３】
2011024789.tif 000005
【図４】
2011024789.tif 000006
【図５】
2011024789.tif 000007
【図６】
2011024789.tif 000008
【図７】
2011024789.tif 000009